(57)【要約】【課題】スパウトがロック状態にあるか否かを外部から容易に視認可能にするとともに、スパウトの耐落下衝撃性を向上すること。【解決手段】エアゾール容器１０であって、スパウト３０に設けたストッパピン３６、３７を、該スパウト３０の回転により、肩カバー２０の内外に貫通させて設けたロック溝２６Ｂ、２７Ｂに係脱可能にし、ストッパピン３６、３７をロック溝２６Ｂ、２７Ｂに係合させるロック位置に設定させた状態でスパウト３０の押下を阻止可能にするとともに、スパウト３０のストッパピン３６、３７をロック位置に設定した状態で、スパウト３０に設けた縦リブ３８を、該スパウト３０の押下方向で、肩カバー２０に設けた支持部２８に衝合可能にしたもの。【選択図】　図１
2004097889.tif 000002
【特許請求の範囲】
【請求項１】
容器本体の天面部にステムを有し、ステムにスパウトを接続し、スパウトを囲む肩カバーを容器本体の天面部に固定したエアゾール容器であって、
スパウトに設けたストッパピンを、該スパウトの回転により、肩カバーの内外に貫通させて設けたロック溝に係脱可能にし、ストッパピンをロック溝に係合させるロック位置に設定した状態でスパウトの押下を阻止可能にするとともに、
スパウトのストッパピンをロック位置に設定した状態で、スパウトに設けた縦リブを、該スパウトの押下方向で、肩カバーに設けた支持部に衝合可能にしたエアゾール容器。
【請求項２】
前記スパウトがステムに接続される内筒部と、内筒部の周囲の外筒部と、内筒部と外筒部を覆う天面部とからなり、前記縦リブを内筒部と外筒部の間の環状間隙の周方向複数位置にてそれらの内筒部と外筒部をつなぐように設けてなる請求項１に記載のエアゾール容器。
【請求項３】
前記肩カバーが容器本体の天面部に固定される固定部と、固定部から立上る立上り部と、立上り部の内側に架け渡される台座部とを有し、立上り部にロック溝を設け、台座部に支持部を設けてなる請求項１又は２に記載のエアゾール容器。
【発明の詳細な説明】
【０００１】
【発明の属する技術分野】
本発明はエアゾール容器に関する。
【０００２】
【従来の技術】
エアゾール容器として、容器本体の天面部にステムを有し、ステムにスパウトを接続し、スパウトを囲む肩カバーを容器本体の天面部に固定したものがある。このエアゾール容器において、内容物の不測の漏出を防止するため、スパウトに設けた脚片を、該スパウトの回転により、肩カバーに設けた平坦板に係脱可能にするものがある。スパウトの脚片を肩カバーの平坦板に係合させるロック位置に設定するロック状態で、スパウトの押下を阻止し、内容物の漏出を防止する（特許文献１）
【０００３】
【特許文献１】
特開平５−２８５４２８号公報（３、４頁、図２、図３）
【０００４】
【発明が解決しようとする課題】
従来技術では、スパウトの脚片と肩カバーの平坦板との係脱領域が、肩カバーの内側に設けられ、肩カバーによって外部に対し遮蔽されている。このため、スパウトの脚片がロック位置にあるか否かを外部から視認できず、使い勝手が悪い。
【０００５】
尚、スパウトの押下を阻止する他の手段として、スパウトに設けたストッパピンを、肩カバーの内外に貫通させて設けたロック溝に係脱可能にし、スパウトがストッパピンをロック溝に係合させるロック位置に設定したロック状態にあるか否かを外部から容易に視認可能にすることが考えられる。しかしながら、この場合には、物流段階等でスパウトをロック状態に設定したエアゾール容器に作用する落下衝撃力がスパウトを押下する方向に及ぶと、この衝撃力がストッパピンに剪断力として働き、ストッパピンが折損してしまう虞がある。
【０００６】
本発明の課題は、スパウトがロック状態にあるか否かを外部から容易に視認可能にするとともに、スパウトの耐落下衝撃性を向上することにある。
【０００７】
【課題を解決するための手段】
請求項１の発明は、容器本体の天面部にステムを有し、ステムにスパウトを接続し、スパウトを囲む肩カバーを容器本体の天面部に固定したエアゾール容器であって、スパウトに設けたストッパピンを、該スパウトの回転により、肩カバーの内外に貫通させて設けたロック溝に係脱可能にし、ストッパピンをロック溝に係合させるロック位置に設定した状態でスパウトの押下を阻止可能にするとともに、スパウトのストッパピンをロック位置に設定した状態で、スパウトに設けた縦リブを、該スパウトの押下方向で、肩カバーに設けた支持部に衝合可能にしたものである。
【０００８】
【発明の実施の形態】
エアゾール容器１０は、図１〜図３に示す如く、容器本体１１に薬剤、洗浄剤等の内容物を充填し、容器本体１１の天面部を構成するように容器本体１１に封着されたマウンテンカップ１２によりその内容物と噴射剤とを封入している。エアゾール容器１０は、マウンテンカップ１２に取着したバルブ内蔵部にばねにより突出方向に付勢した状態でステム１３を起立させ、このステム１３にスパウト３０を挿着して接続し、スパウト３０を囲む肩カバー２０をマウンテンカップ１２の外縁カール部１２Ａに係着している。
【０００９】
肩カバー２０は、図４に示す如く、樹脂成形体であり、容器本体１１のマウンテンカップ１２に固定される環状固定部２１（２１Ａは固定部２１の内周に設けられた係止突条部）と、固定部２１から上方に立上がる立上り部２２と、立上り部２２の固定部２１との付根部の内周にて該立上り部２２の上下方向に沿う中心軸を横断する如くに架け渡される台座部２３とを有する。
【００１０】
スパウト３０は、図５に示す如く、樹脂成形体であり、ステム１３に接続される内筒部３１と、内筒部３１の周囲の外筒部３２と、内筒部３１と外筒部３２を覆う天面部３３と、内筒部３１の天面部３３に交差する上端部の正面側から外筒部３２の上端部を横切って天面部３３の前方に延びる棒状ノズル部３４とを有する。ノズル部３４は吐出口３４Ａを有し、内筒部３１からノズル部３４に渡って延在する吐出通路３５を介して、ステム１３と吐出口３４Ａとを連通可能にしている。スパウト３０の外筒部３２及び天面部３３は、肩カバー２０の立上り部２２より上位に突出し、使用者の手指による押動操作面になる。スパウト３０は、内筒部３１を肩カバー２０の台座部２３の中心部に設けたガイド孔２３Ａに嵌挿し、外筒部３２を肩カバー２０の立上り部２２の内周のガイド面２２Ａに嵌挿している。
【００１１】
エアゾール容器１０は、テーブル等に置いた状態で、使用者の手指の押動操作力によりスパウト３０の天面部３３を押下し、ステム１３をバルブ内蔵部のばねに抗して押し込むと、ステム１３の孔が導通し、容器本体１１の内容物がディップチューブ（不図示）経由でこのステム１３の孔を介してスパウト３０のノズル部３４の吐出口３４Ａから噴射状に吐出する。スパウト３０は、肩カバー２０のガイド面２２Ａ、ガイド孔２３Ａにガイドされて上下動する。
【００１２】
エアゾール容器１０は、スパウト３０の外筒部３２の正面側と背面側のそれぞれに、ストッパピン３６、３７を半径方向の外方に突設している。他方、肩カバー２０の立上り部２２の正面側には、ストッパピン３６のための上下方向に延びる縦溝２６Ａ、縦溝２６Ａの中間部から横方向の一方側に切欠形成されたロック溝２６Ｂ、縦溝２６Ａの最下部から横方向の他方側に切欠形成されたガス抜き溝２６Ｃを立上り部２２の内外に貫通させて設けている。ストッパピン３６は縦溝２６Ａ、ロック溝２６Ｂ、ガス抜き溝２６Ｃから外部空間に臨むように設けられる。また、肩カバー２０の立上り部２２の背面側には、ストッパピン３７のための上下方向に延びる縦溝２７Ａ、縦溝２７Ａの中間部から横方向の一方側に切欠形成されたロック溝２７Ｂ、縦溝２７Ａの最下部から横方向の他方側に切欠形成されたガス抜き溝２７Ｃを立上り部２２の内外に貫通させて設けている。ストッパピン３７は縦溝２７Ａ、ロック溝２７Ｂ、ガス抜き溝２７Ｃから外部空間に臨むように設けられ、その頭部３７Ａを使用者の手指によりつまめるつまみ状にしている。尚、肩カバー２０の立上り部２２の背面側に設けたロック溝２７Ｂ、ガス抜き溝２７Ｃには、それぞれ、ロック溝であるのか、ガス抜き溝であるのかが確認できるように、「ロック」、「ガスぬき」の表示がしてある（図３）。
【００１３】
スパウト３０はストッパピン３７の頭部３７Ａのつまんで自軸回りにロック溝２６Ｂ、２７Ｂ、ガス抜き溝２６Ｃ、２７Ｃに対し回転操作できるが、肩カバー２０の上方に突き出ている外筒部３２をつまんで自軸回りにロック溝２６Ｂ、２７Ｂ、ガス抜き溝２６Ｃ、２７Ｃに対し回転操作することもできる。
【００１４】
エアゾール容器１０は、スパウト３０を自軸回りの中立位置に設定したとき、スパウト３０のストッパピン３６、３７を肩カバー２０の縦溝２６Ａ、２７Ａに位置付け、それらの縦溝２６Ａ、２７Ａに沿って自由に上下動可能にし、スパウト３０を前述の如くに押下可能にする。
【００１５】
エアゾール容器１０は、スパウト３０を縦溝２６Ａ、２７Ａに沿う中間部にまで押し込み、スパウト３０をその中立位置から自軸回りの一方側に回転することにより、スパウト３０のストッパピン３６、３７を肩カバー２０のロック溝２６Ｂ、２７に進入させて係合させるロック位置に設定した状態で、スパウト３０の押下を阻止可能にする。スパウト３０をロック位置から他方側に回転することにより、スパウト３０のストッパピン３６、３７をロック溝２６Ｂ、２７Ｂから離脱させて縦溝２６Ａ、２７Ａに戻すことができる。
【００１６】
エアゾール容器１０は、スパウト３０を縦溝２６Ａ、２７Ａに沿う最下部にまで押し込み、スパウト３０をその中立位置から他方側に回転することにより、スパウト３０のストッパピン３６、３７を肩カバー２０のガス抜き溝２６Ｃ、２７Ｃに進入させてガス抜き溝２６Ｃ、２７Ｃに進入させて係合させるガス抜き位置に設定した状態で、スパウト３０をステム１３の孔が導通する押し込み状態に保持可能にする。スパウト３０をガス抜き位置から一方側に回転することにより、スパウト３０のストッパピン３６、３７をガス抜き溝２６Ｃ、２７Ｃから離脱させて縦溝２６Ａ、２７Ａに戻すことができる。エアゾール容器１０は、スパウト３０のストッパピン３６、３７を肩カバー２０のロック溝２６Ｂ、２７Ｂに係合させるロック位置に設定した状態で、スパウト３０に設けた縦リブ３８を、スパウト３０の押下方向で、肩カバー２０に設けた支持部２８に衝合可能にする。スパウト３０のストッパピン３６、３７を肩カバー２０の縦溝２６Ａ、２７Ａに沿わせる中立位置（ロック解除位置）では、スパウト３０の縦リブ３８は、スパウト３０の押下方向で、肩カバー２０の支持部２８の側傍の空所２９を上下動できる。
【００１７】
スパウト３０の縦リブ３８は、図５に示す如く、内筒部３１と外筒部３２の間の環状間隙の周方向複数位置にて、それらの内筒部３１と外筒部３２をつなぐように設けられる。本実施形態において、縦リブ３８は３個のリブ３８Ａ〜３８Ｃからなり、１本のリブ３８Ａは内筒部３１に対する正面側でノズル部３４の下部に該ノズル部３４に連続するように延在し、２本のリブ３８Ｂ、３８Ｃは内筒部３１に対する背面側でノズル部３４を通る直径に対し線対称をなす２位置に設けられる。リブ３８Ａ〜３８Ｃの下端面は、スパウト３０の押下方向で互いに面一をなし、肩カバー２０の支持部２８（２８Ａ〜２８Ｃ）との衝合面を形成する。
【００１８】
肩カバー２０の支持部２８は、肩カバー２０の台座部２３の周方向複数位置にて、上方に突設するように設けられる。本実施形態において、支持部２８は３個の支持部２８Ａ〜２８Ｃからなり、支持部２８Ａ〜２８Ｃの上端面は、上下方向で面一をなし、スパウト３０のリブ３８Ａ〜３８Ｃとの衝合面を形成する。
【００１９】
本実施形態によれば以下の作用がある。
（請求項１に対応する作用）
▲１▼スパウト３０に設けたストッパピン３６、３７を、肩カバー２０の内外に貫通させて設けたロック溝２６Ｂ、２７Ｂに係脱可能にすることにより、スパウト３０がストッパピン３６、３７をロック溝２６Ｂ、２７Ｂに係合させるロック位置に設定したロック状態にあるか否かを外部から容易に視認できる。
【００２０】
▲２▼物流段階等でスパウト３０をロック状態に設定してあるエアゾール容器１０に落下衝撃力が作用し、この衝撃力がスパウト３０を押下する方向に及んだとき、スパウト３０に設けた縦リブ３８が肩カバー２０の支持部２８に衝合することによってこの衝撃力を支える。ストッパピン３６、３７に衝撃力に起因する剪断力が働かず、ストッパピン３６、３７の折損を防止できる。
【００２１】
（請求項２に対応する作用）
▲３▼スパウト３０に設けた複数の縦リブ３８（３８Ａ〜３８Ｃ）は、スパウト３０の外筒部３１と外筒部３２をつなぎ、スパウト３０の内筒部３１、外筒部３２の成形時及び／使用時の歪みを防止する。内筒部３１、外筒部３２は一定の断面形状、本実施形態では真円形状をなし、肩カバー２０のガイド孔２３Ａ、ガイド面２２Ａに無理なく嵌挿されてスムースに上下動できる。
【００２２】
（請求項３に対応する作用）
▲４▼肩カバー２０に設けた支持部２８（２８Ａ〜２８Ｃ）が、立上り部２２の内側に架け渡した台座部２３に設けられる。従って、支持部２８の構造強度を容易に確保し、スパウト３０の縦リブ３８から伝わる落下衝撃力を確実に支持できる。
【００２３】
尚、ストッパピン３６（３７）は、スパウト３０の外筒部３２の正面側と背面側のいずれか一方のみに設けるものであっても良い。ストッパピン３６（３７）をスパウト３０の外筒部３２の正面側と背面側の両方に設ける場合には、スパウト３０がストッパピン３６、３７で肩カバー２０に両持ち支持されるので、強度的に優れ、また、スパウト３０を肩カバー２０に略水平に支持することができるので、スパウトを回転し易い。
【００２４】
また、ストッパピン３６（３７）を、スパウト３０の外筒部３２の正面側と背面側のいずれか一方のみに設ける場合には、ロック溝２６Ｂ（２７Ｂ）、ガス抜き溝２６Ｃ（２７Ｃ）も、ストッパピン３６（３７）が設けられるスパウト３０の外筒部３２の正面側と背面側のいずれか一方のみに設けるものであれば良い。
【００２５】
【発明の効果】
本発明によれば、スパウトがロック状態にあるか否かを外部から容易に視認可能にするとともに、スパウトの耐落下衝撃性を向上できる。
【図面の簡単な説明】
【図１】図１はエアゾール容器を示す側断面図である。
【図２】図２は図１の正面図である。
【図３】図３は図１の背面図である。
【図４】図４は肩カバーを示す模式図である。
【図５】図５はスパウトを示す模式図である。
【符号の説明】
１０　エアゾール容器
１１　容器本体
１３　ステム
２０　肩カバー
２１　固定部
２２　立上り部
２３　台座部
２６Ｂ、２７Ｂ　ロック溝
２８（２８Ａ〜２８Ｃ）　支持部
３０　スパウト
３１　内筒部
３２　外筒部
３３　天面部
３４　ノズル部
３６、３７　ストッパピン
３８（３８Ａ〜３８Ｃ）　縦リブ
【図１】
2004097889.tif 000003
【図２】
2004097889.tif 000004
【図３】
2004097889.tif 000005
【図４】
2004097889.tif 000006
【図５】
2004097889.tif 000007